(57)【要約】【課題】ヘッドアップディスプレイ装置において、ケース内への異物の侵入を極力防止できること。【解決手段】ヘッドアップディスプレイ装置２０は、収納部品３１が収納された樹脂製のケース２５と、このケース２５の外部に取り付けられた取付部品６０と、を有する。前記ケース２５は、前記取付部品６０に向かって突出し前記取付部品６０を係止している係止部７１を有すると共に、この係止部７１に隣接した位置に穴部７３が空けられてなる。前記収納部品３１は、前記穴部７３を塞いでいる封鎖部３１ａを有している。【選択図】図３
2018197074.tif 000002
【特許請求の範囲】
【請求項１】
収納部品が収納された樹脂製のケースと、このケースの外部に取り付けられた取付部品と、を有するヘッドアップディスプレイ装置において、
前記ケースは、前記取付部品に向かって突出し前記取付部品を係止している係止部を有すると共に、この係止部に隣接した位置に穴部が形成されてなり、
前記収納部品は、前記穴部を塞いでいる封鎖部を有していることを特徴とするヘッドアップディスプレイ装置。
【請求項２】
前記収納部品は、前記封鎖部から前記穴部の内周面に沿って延びて前記穴部に嵌合した延出部を有していることを特徴とする請求項１記載のヘッドアップディスプレイ装置。
【請求項３】
前記係止部は、前記ケースを上から見た場合に、前記ケースの内部において表示装置から出射された光が通過する光路を避けた部位に形成されてなることを特徴とする請求項１又は請求項２記載のヘッドアップディスプレイ装置。
【請求項４】
前記ケースは、前記取付部品が当接している取付部品当接部と、この取付部品当接部の周縁から前記取付部品の外周に沿って突出した壁部と、を有していることを特徴とする請求項１〜請求項３のいずれか１項記載のヘッドアップディスプレイ装置。
【請求項５】
前記収納部品は、光を反射可能な反射鏡ユニットであり、
前記反射鏡ユニットは、前記ケースに支持されるホルダと、前記光を反射するように前記ホルダに固定された反射鏡と、を含み、
前記ケースは、前記ホルダを支持する複数のホルダ支持部を有し、
前記複数のホルダ支持部のなかの１つの支持高さは、残りのホルダ支持部の支持高さに対して異なることを特徴とする請求項１〜請求項４のいずれか１項記載のヘッドアップディスプレイ装置。
【請求項６】
前記複数のホルダ支持部は、前記ケースを上から見た場合に、前記反射鏡に入射する前記光の光軸の延長線上に位置しているものを含むことを特徴とする請求項５記載のヘッドアップディスプレイ装置。
【発明の詳細な説明】
【技術分野】
【０００１】
本発明は、ヘッドアップディスプレイ装置に関する。
【背景技術】
【０００２】
ヘッドアップディスプレイ装置において、表示装置（収納部品に相当する）を収納したケースの下端面に、回路基板を収納した収納部（取付部品に相当する）を設けた従来技術として、例えば特許文献１に開示される技術がある。一般に、収納部は、ケースの下端面に複数のビスによって固定される。組み付け工数の低減を図る上で、ビス止め構造は不利である。
【０００３】
そこで、ビス止め構造を掛け止め機構に変更することが考えられる。この掛け止め機構は、樹脂製のケースから収納部へ向かって突出した係止部と、この係止部を掛けるために収納部に形成された掛け止め部とからなる。係止部は、弾性を有した腕部と、この腕部の先端に形成された係止爪（フック）とからなる。しかし、ケースと共に係止部を樹脂成形するときの金型の構成上、ケースには、係止部の基端部分に隣接した位置に、貫通した穴部が形成される。このため、ゴミ等の異物が外部から穴部を通ってケースの内部へ侵入する心配がある。ヘッドアップディスプレイ装置においては、表示装置から出射された光が通過する光路を十分に確保する上で、ケース内への異物の侵入は好ましくない。
【先行技術文献】
【特許文献】
【０００４】
【特許文献１】実開平５−０２３４０４号公報
【発明の概要】
【発明が解決しようとする課題】
【０００５】
本発明は、ヘッドアップディスプレイ装置において、ケース内への異物の侵入を極力防止できる技術を提供することを課題とする。
【課題を解決するための手段】
【０００６】
請求項１による発明によれば、ヘッドアップディスプレイ装置は、収納部品が収納された樹脂製のケースと、このケースの外部に取り付けられた取付部品と、を有する。前記ケースは、前記取付部品に向かって突出し前記取付部品を係止している係止部を有すると共に、この係止部に隣接した位置に穴部が形成されてなる。前記収納部品は、前記穴部を塞いでいる封鎖部を有していることを特徴とする。
【０００７】
請求項２に記載のごとく、好ましくは、前記収納部品は、前記封鎖部から前記穴部の内周面に沿って延びて前記穴部に嵌合した延出部を有している。
【０００８】
請求項３に記載のごとく、好ましくは、前記係止部は、前記ケースを上から見た場合に、前記ケースの内部において表示装置から出射された光が通過する光路を避けた部位に形成されてなる。
【０００９】
請求項４に記載のごとく、好ましくは、前記ケースは、前記取付部品が当接している取付部品当接部と、この取付部品当接部の周縁から前記取付部品の外周に沿って突出した壁部と、を有している。
【００１０】
請求項５に記載のごとく、好ましくは、前記収納部品は、光を反射可能な反射鏡ユニットである。前記反射鏡ユニットは、前記ケースに支持されるホルダと、前記光を反射するように前記ホルダに固定された反射鏡と、を含む。前記ケースは、前記ホルダを支持する複数のホルダ支持部を有する。前記複数のホルダ支持部のなかの１つの支持高さは、残りのホルダ支持部の支持高さに対して異なる。
【００１１】
請求項６に記載のごとく、好ましくは、前記複数のホルダ支持部は、前記ケースを上から見た場合に、前記反射鏡に入射する前記光の光軸の延長線上に位置しているものを含む。
【発明の効果】
【００１２】
請求項１に係る発明では、ケースに形成されてなる穴部は、収納部品に備えられる封鎖部によって塞がれている。穴部が塞がれたので、ゴミ等の異物が外部から穴部を通ってケースの内部へ侵入することを、防止することができる。このため、ケース内への異物の侵入を極力防止でき、品質の良好なヘッドアップディスプレイ装置を提供することができる。しかも、収納部品に備えられる封鎖部によって、穴部を塞ぐだけの簡単な構成ですむ。
【００１３】
請求項２に係る発明では、封鎖部から穴部の内周面に沿って延びて穴部に嵌合した延出部を有している。穴部と、この穴部に嵌め込まれる延出部との組み合わせ構造は、両者間の隙間が小さい、いわゆるインロウ構造とすることができる。このため、外部から穴部へ侵入した異物は、穴部の内周面と延出部の外周面との間の小さい隙間と、穴部と封鎖部との間とを、２段階に通過しないと、ケースの内部へ侵入することができない。このように、異物の侵入経路を小さく且つ迷路状の構成（ラビリンスシール）とすることによって、異物の侵入をより一層防止することができる。
【００１４】
請求項３に係る発明では、光路を避けた部位に係止部が形成されているので、この係止部が光路を遮ることはない。このため、ケースに係止部が形成されているにもかかわらず、ケースの内部における光路を十分に確保することができる。
【００１５】
請求項４に係る発明では、ケースの取付部品当接部に対して、取付部品が当接している。しかも、この取付部品の外周は壁部によって囲まれている。このため、外部からの異物は、取付部品当接部と取付部品との当接面と、取付部品の外周面と壁部との間の隙間とを、２段階に通過しないと、取付部品の内部へ侵入することができない。このように、異物の侵入経路を小さく且つ迷路状の構成（ラビリンスシール）とすることによって、異物の侵入を防止することができる。
【００１６】
請求項５に係る発明では、複数のホルダ支持部のなかの、少なくとも１つ支持高さが、他のホルダ支持部の支持高さと異なっている。つまり、複数のホルダ支持部の支持高さが、段違いになっている。このため、ケースに反射鏡ユニットを組み付けるときに、ケースに対するホルダの倒れを防止することができる。この結果、ケースに対して反射鏡を精度良く組み付けることができる。反射鏡によって反射される光の反射方向の精度を、高めることができる。
【００１７】
請求項６に係る発明では、複数のホルダ支持部は、ケースを上から見た場合に、反射鏡に入射する光の光軸の延長線上に位置しているものを含む。つまり、反射鏡ユニットの重心を通る上下方向の線（重心を通る垂直線）は、前記延長線又はその近傍に位置する。このため、反射鏡ユニットをホルダ支持部に組み付けるときに、複数のホルダ支持部のなかの少なくとも１つは、前記垂直線の部位付近を支持することができる。従って、反射鏡ユニットの重量バランスのよい部位を、ケースに容易に設置することができる。
【図面の簡単な説明】
【００１８】
【図１】本発明によるヘッドアップディスプレイ装置を搭載した車両の説明図である。
【図２】図１に示されるヘッドアップディスプレイ装置の斜視図である。
【図３】図２の３−３線に沿った断面図である。
【図４】図３に示されるヘッドアップディスプレイ装置において上カバーを外した構成の平面図である。
【図５】図４の５−５線に沿った断面図である。
【図６】図５に示されるケースの下部の周壁と下カバーの上端との関係を拡大した図である。
【図７】図３に示されるヘッドアップディスプレイ装置において下カバーを外した構成の底面図である。
【図８】図４に示されるケース単体の平面図である。
【図９】図３に示される掛け止め機構の分解図兼組立図である。
【図１０】図５の１０−１０線に沿った断面図である。
【図１１】図５に示される複数のホルダ支持部と複数の被支持部との分解図である。
【発明を実施するための形態】
【００１９】
本発明の実施の形態を添付図に基づいて以下に説明する。なお、図中Ｕｐは上、Ｄｎは下を示している。
【００２０】
図１に示されるように、乗用車等の車両１０は、車室１１の前部にダッシュボード１２を備えている。このダッシュボード１２の上部には、ヘッドアップディスプレイ装置２０が内蔵されている。このヘッドアップディスプレイ装置２０から投射された表示光Ｌｄは、車両１０のフロントガラス１３に画像として表示される。運転者は、車両１０の前方の背景と共に、虚像Ｖｉを視認することができる。
【００２１】
図２〜図４に示されるように、ヘッドアップディスプレイ装置２０は、表示光Ｌｄを投射する表示装置２１（投射器２１）と、表示装置２１から投射された表示光Ｌｄを反射させる第１反射器２２と、第１反射器２２から入射した表示光Ｌｄを拡大してフロントガラス１３（図１参照）に向けて反射させる第２反射器２３と、表示装置２１の透過照明に用いられる照明装置２４と、表示装置２１と第１及び第２反射器２２，２３と照明装置２４とを収納したケース２５とからなる。
【００２２】
表示装置２１と第１及び第２反射器２２，２３と照明装置２４は、ケース２５に収納された収納部品の一種であり、以下、適宜「収納部品２１，２２，２３，２４」と言い換えることにする。
【００２３】
第１反射器２２は、ケース２５に支持されるホルダ３１と、光（表示光Ｌｄ）を反射するようにホルダ３１に固定された反射鏡３２とを含む、光を反射可能な反射鏡ユニットである。以下、第１反射器２２のことを、適宜「反射鏡ユニット２２」と言い換えることにする。第２反射器２３は、凹面鏡によって構成されている。
【００２４】
表示装置２１は、走行情報等の各種の情報を表示するものであって、例えば液晶表示装置によって構成される。この液晶表示装置は、表示媒体（表示素子）として例えばＴＦＴ型の液晶パネル２１ａを採用している。この表示装置２１は、液晶パネル２１ａの他に、この液晶パネル２１ａの表示制御を行うための制御部が実装された回路基板２１ｂや液晶パネル２１ａと回路基板２１ｂとを電気的に接続するためのフレキシブル配線板（図示せず）などを含むように構成されている。
【００２５】
照明装置２４は、表示装置２１の透過照明に用いられる複数の光源２４ａと、この複数の光源２４ａが発した光の照度分布を均一化するレンズアレイ（図示せず）と、複数の光源２４ａが実装された基板２４ｂと、この基板２４ｂの背面に重ねられ且つ固定されたヒートシンク２４ｃと、を含む。
【００２６】
ケース２５は、平面視略矩形状で且つ上が開放された有底の構成からなる、樹脂製の部材である。ケース２５の底板２５ａは、概ね平板状の構成である。ケース２５の開放された上端は、上カバー４０によって覆われている。この上カバー４０は、表示装置２１から投射された表示光Ｌｄを外部へ透過可能な透過板４１を備える。
【００２７】
図５〜図７に示されるように、回路基板２１ｂは、ケース２５の底板２５ａの下面に、複数のビス５１と複数の掛け止め機構５２によって取り付けられている。この回路基板２１ｂには、照明装置２４を制御する制御部も実装されている。
【００２８】
図３に示されるように、この回路基板２１ｂは、樹脂製の下カバー６０によって覆われている。この下カバー６０は、ケース２５の外部に取り付けられた取付部品の一種である。以下、下カバー６０のことを、適宜「取付部品６０」と言い換えることにする。詳しく述べると、下カバー６０は、ケース２５の底板２５ａの下面に重ねられて位置するとともに、複数の掛け止め機構７０（スナップフィット構造７０）によって取り外し可能に取り付けられている。
【００２９】
図３、図８及び図９に示されるように、複数（例えば３つ）の掛け止め機構７０は、それぞれ、樹脂製のケース２５から下カバー６０（取付部品６０）に向かって突出した係止部７１と、この係止部７１を掛けるために下カバー６０に形成された掛け止め部７２とからなる。係止部７１は、弾性を有した腕部７１ａと、この腕部７１ａの先端に形成された係止爪７１ｂ（フック７１ｂ）とからなる。
【００３０】
ところで、ケース２５と共に係止部７１を樹脂成形するときの金型の構成上、ケース２５には、係止部７１の基端部分に隣接した位置に、内外貫通した穴部７３が形成される。このように、ケース２５は、下カバー６０に向かって突出し下カバー６０を係止している係止部７１を有すると共に、この係止部７１に隣接した位置に穴部７３が形成されてなる。このため、ゴミ等の異物が外部から穴部７３を通ってケース２５の内部へ侵入する心配がある。図３に示されるヘッドアップディスプレイ装置２０においては、表示装置２１から出射された光が通過する光路を十分に確保する上で、ケース２５内への異物の侵入は好ましくない。
【００３１】
これに対し、図９（ａ）、図９（ｂ）に示されるように、本発明では、第１反射器２２のホルダ３１（収納部品３１）は、穴部７３を塞いでいる封鎖部３１ａを有している。この封鎖部３１ａは、ホルダ３１の平坦な下面によって構成される。
【００３２】
図９（ａ）は、ケース２５に対してホルダ３１を組み付ける前の分解状態を示している。図９（ｂ）は、ケース２５に対してホルダ３１を組み付けた状態を示している。ケース２５の内面において、穴部７３の縁７３ａは平坦である。ケース２５にホルダ３１を上から組み付けることにより、封鎖部３１ａは穴部７３を塞ぐことができる。このように、ケース２５に形成されてなる穴部７３は、ホルダ３１（収納部品３１）に備えられる封鎖部３１ａによって塞がれている。封鎖部３１ａによって穴部７３を塞いだので、ゴミ等の異物が外部から穴部７３を通ってケース２５の内部へ侵入することを、防止することができる。このため、ケース２５内への異物の侵入を極力防止でき、品質の良好なヘッドアップディスプレイ装置２０を提供することができる。しかも、収納部品３１に備えられる封鎖部３１ａによって、穴部７３を塞ぐだけの簡単な構成ですむ。
【００３３】
このことは、図３に示されるケース２５にヒートシンク２４ｃ（収納部品２４ｃ）が組み付けられる部位でも、同様である。つまり、ヒートシンク２４ｃの下方に位置している掛け止め機構７０は、ヒートシンク２４ｃの下面からなる封鎖部２４ｄによって、穴部７３が塞がれており、同様の効果を発揮する。
【００３４】
図３及び図９に示されるように、ホルダ３１（収納部品３１）は、封鎖部３１ａから穴部７３の内周面に沿って延びた延出部３１ｂを有している。この延出部３１ｂは、穴部７３に嵌合している。穴部７３の内周面と延出部３１ｂの外周面との間には、微小な隙間を有する。穴部７３と、この穴部７３に嵌め込まれる延出部３１ｂとの組み合わせ構造は、両者３１ｂ，７３間の隙間が小さい、いわゆるインロウ構造とすることができる。このため、外部から穴部７３へ侵入した異物は、穴部７３の内周面と延出部３１ｂの外周面との間の小さい隙間と、穴部７３と封鎖部３１ａとの間とを、２段階に通過しないと、ケース２５の内部へ侵入することができない。このように、異物の侵入経路を小さく且つ迷路状の構成（ラビリンスシール）とすることによって、異物の侵入をより一層防止することができる。
【００３５】
図４及び図８に示されるように、複数の係止部７１は、ケース２５を上から見た場合に、ケース２５の内部において表示装置２１から出射された光が通過する光路を避けた部位に形成されてなる。つまり、３つの係止部７１のなかの、２つはホルダ３１の下に位置しており、残りの１つはヒートシンク２４ｃの下に位置している。光路を避けた部位に複数の係止部７１が形成されてなるので、この複数の係止部７１が光路を遮ることはない。このため、複数の係止部７１がケース２５に形成されているにもかかわらず、ケース２５の内部における光路を十分に確保することができる。
【００３６】
図５〜図７に示されるように、ケース２５の底板２５ａの下面には、回路基板２１ｂの周囲を囲う周壁２５ｂを有している。この周壁２５ｂは、底板２５ａから下方へ延びており、下端面に取付部品当接部２５ｃと壁部２５ｄとを有している。取付部品当接部２５ｃと壁部２５ｄとは、周壁２５ｂの全周にわたって形成されてなる。取付部品当接部２５ｃは、周壁２５ｂの下端面のなかの内周縁に沿った平坦面であり、下カバー６０（取付部品６０）の上端面が当接している。壁部２５ｄは、取付部品当接部２５ｃの周縁から下カバー６０の外周に沿って突出している。このように、ケース２５は、取付部品当接部２５ｃと壁部２５ｄとを有している。
【００３７】
以上の説明から明らかなように、ケース２５の取付部品当接部２５ｃに対して、下カバー６０（取付部品６０）が当接している。しかも、この下カバー６０の外周は、壁部２５ｄによって囲まれている。このため、外部からのゴミ等の異物は、取付部品当接部２５ｃと下カバー６０との当接面と、下カバー６０の外周面と壁部２５ｄとの間の隙間とを、２段階に通過しないと、下カバー６０の内部へ侵入することができない。このように、異物の侵入経路を小さく且つ迷路状の構成（ラビリンスシール）とすることによって、異物の侵入を防止することができる。
【００３８】
図４、図５、図８、図１０及び図１１に示されるように、ケース２５は、反射鏡ユニット２２のホルダ３１を支持する複数（例えば３つ）のホルダ支持部８１，８２，８２を有する。複数のホルダ支持部８１，８２，８２のなかの、少なくとも１つのホルダ支持部８１の支持高さＨ１は、残りのホルダ支持部８２，８２の支持高さＨ２に対して異なっている。つまり、複数のホルダ支持部８１，８２，８２の支持高さＨ１，Ｈ２が、段違いになっている。
【００３９】
詳しく述べると、３つのホルダ支持部８１，８２，８２は、ケース２５の底板２５ａから起立しており、上から見てホルダ３１に沿いつつ１列に配列されている。この３つのホルダ支持部８１，８２，８２は、中央に位置する第１ホルダ支持部８１と、この第１ホルダ支持部８１の両側に位置する第２ホルダ支持部８２，８２とからなる。底板２５ａから第１ホルダ支持部８１の上端面８１ａまでの支持高さＨ１は、底板２５ａから第２ホルダ支持部８２，８２の上端面８２ａ，８２ａまでの支持高さＨ２よりも低い。３つのホルダ支持部８１，８２，８２の上端面８１ａ，８２ａ，８２ａは、底板２５ａに平行な平坦面である。
【００４０】
第１ホルダ支持部８１の上端面８１ａには、起立した支持ピン８１ｂと、ねじ穴８１ｃとが形成されてなる。反射鏡ユニット２２の重心Ｇｃを通る上下方向の線ＶＬ（重心Ｇｃを通る垂直線ＶＬ）に対して、水平方向に交差する線ＨＬのことを水平基準線ＨＬという。この水平基準線ＨＬは、反射鏡３２の表裏方向へ延びている。ねじ穴８１ｃの位置は、支持ピン８１ｂに対して水平基準線ＨＬに沿ってオフセットしている。
【００４１】
第２ホルダ支持部８２，８２の上端面８２ａ，８２ａには、起立した支持ピン８２ｂ，８２ｂが形成されてなる。ケース２５を上から見て、第２ホルダ支持部８２，８２の支持ピン８２ｂ，８２ｂは、水平基準線ＨＬに沿って、第１ホルダ支持部８１の支持ピン８１ｂとねじ穴８１ｃの間に位置することが好ましい（図１０参照）。
【００４２】
ホルダ３１は、背面に３つの被支持部８３，８４，８４を有する。第１の被支持部８３は、第１ホルダ支持部８１の上端面８１ａに載置可能な水平な平板であって、第１ホルダ支持部８１の支持ピン８１ｂに嵌合可能な嵌合穴８３ａと、ビス８５を挿通可能なビス挿通穴８３ｂが形成されてなる。
【００４３】
第１の被支持部８３の両側に位置する２つの第２の被支持部８４，８４は、第２ホルダ支持部８２，８２に被せられるボックス状であって、上端の天板８４ａ，８４ａを有する。この天板８４ａ，８４ａは、第２ホルダ支持部８２，８２の上端面８２ａ，８２ａに載置可能な水平な平板であって、第２ホルダ支持部８２，８２の支持ピン８２ｂ，８２ｂに嵌合可能な嵌合穴８４ｂ，８４ｂが形成されてなる。
【００４４】
ホルダ３１の組み付け手順は、次の通りである（図１１参照）。先ず、各嵌合穴８３ｂ，８４ｂ，８４ｂを各支持ピン８１ｂ，８２ｂ．８２ｂに嵌合する。この結果、ケース２５に対する反射鏡ユニット２２の水平方向の位置が決まる。次に、各ホルダ支持部８１，８２，８２の上端面８１ａ，８２ａ，８２ａに、ホルダ３１の第１の被支持部８３と第２被支持部８４，８４の各天板８４ａ，８４ａとを重ねる。この結果、ケース２５に対する反射鏡ユニット２２の高さが決まる。最後に、ビス挿通穴８３ｂを通したビス８５を、第１ホルダ支持部８１の上端面８１ａのねじ穴８１ｃにねじ込んで、作業を完了する。この結果、ケース２５に対して反射鏡ユニット２２を固定することができる。
【００４５】
このように、複数のホルダ支持部８１，８２，８２の支持高さＨ１，Ｈ２，Ｈ２が、段違いになっているので、ケース２５に反射鏡ユニット２２を組み付けるときに、ケース２５に対するホルダ３１の倒れを防止することができる。この結果、ケース２５に対して、反射鏡ユニット２２の反射鏡３２を精度良く組み付けることができる。反射鏡３２によって反射される光の反射方向の精度を、高めることができる。
【００４６】
図４に示されるように、ケース２５を上から見た場合に、複数のホルダ支持部８１，８２，８２は、反射鏡３２に入射する光の光軸Ｌ１の延長線Ｌ２上に位置しているものを含む。つまり、図５に示される、反射鏡ユニット２２の重心Ｇｃを通る垂直線ＶＬは、延長線Ｌ２又はその近傍に位置する。このため、反射鏡ユニット２２をホルダ支持部８１，８２，８２に組み付けるときに、複数のホルダ支持部８１，８２，８２のなかの少なくとも１つ８１は、反射鏡ユニット２２の重心Ｇｃを通る垂直線ＶＬの部位付近を支持することができる。従って、反射鏡ユニット２２の重量バランスのよい部位を、ケース２５に容易に設置することができる。
【００４７】
図４に示されるように、ヒートシンク２４ｃはケース２５にビス止めされている。ケース２５に対するヒートシンク２４ｃの安定した取り付け状態を確保するには、ビス止め箇所は、少なくとも３箇所であることが好ましい。
【００４８】
ところで、一般に車両１０（図１参照）には、左ハンドル車と右ハンドル車とがある。左ハンドル車と右ハンドル車とでは、ケース２５の配置も左右逆になる。車両１０に対して、左側に配置する場合のケース２５の形状と、右側に配置する場合のケース２５の形状とは、異なる（左右対称形となる）。このため、ケース２５に対するヒートシンク２４ｃの配置が左右異なるので、ビス止め位置も異なる。これに対して、ケース２５の種類毎に専用のヒートシンク２４ｃを準備することが考えられる。しかし、ヘッドアップディスプレイ装置２０の低コスト化を図る上で不利である。
【００４９】
これに対し、本発明では、図２、図４及び図８に示されるように、ヒートシンク２４ｃの中心線ＳＬに対して、左右２つずつの脚部９１，９１，９２，９２を左右対称位置に配置した。一方、左配置用と右配置用のどちらのケース２５にも、３つの固定部９３，９４，９５を有する。３つの固定部９３，９４，９５は、ヒートシンク２４ｃの幅方向の中心線ＳＬに対して、一方側に２つを配置し、他方には１つを配置している。
【００５０】
このため、左右の脚部９２，９２のなかの１つは、常にケース２５から浮いた状態であり、ビス９６によって止めされない、いわゆるフリー状態となる（特に図２参照）。それでも、ビス止め箇所は３箇所あり、ケース２５に対するヒートシンク２４ｃの安定した取り付け状態を確保することができる。しかも、左配置用と右配置用のどちらのケース２５に対しても、ヒートシンク２４ｃを共用できる。このため、ヘッドアップディスプレイ装置２０の低コスト化を図ることができる。
【００５１】
図３も参照すると、照明装置２４は、基板２４ｂとヒートシンク２４ｃとを含んで、１つのユニットとして一体化されている。このため、ヒートシンク２４ｃをケース２５にビス止めすることによって、照明装置２４全体がケース２５に取り付けられている。
【００５２】
３つの固定部９３，９４，９５の上面、つまりヒートシンク２４ｃの脚部９１，９１，９２を上から重ね合わせる面は、全て平行であり、しかも、ケース２５の上側開放端を向いている。このため、樹脂製のケース２５を成形するための抜き型（金型）をシンプルな構成とすることができる。
【００５３】
図７に示されるように、回路基板２１ｂは、少なくとも１つのコネクタ１０１，１０１を有している。このコネクタ１０１，１０１の外部配線接続口１０１ａ，１０１ａは、下方（ケース２５の底板２５ａに対して反対側）を向いている。しかも、回路基板２１ｂに対するコネクタ１０１，１０１の位置は、ケース２５が車両１０（図１参照）の図示せぬ支持ブラケットに取り付けられた状態において、コネクタ１０１，１０１やこのコネクタ１０１，１０１に接続された外部配線が、支持ブラケットに干渉しない位置、例えば適度な隙間を有する位置が選択されている。このため、ケース２５に対する回路基板２１ｂや照明装置２４（図４参照）の配置の自由度を高めることができる。
【００５４】
なお、本発明によるヘッドアップディスプレイ装置２０は、車両１０を例に説明したが、その他の乗り物にも適用可能であり、これらの形式のものに限られるものではない。すなわち、本発明の作用及び効果を奏する限りにおいて、本発明は、実施例に限定されるものではない。
【産業上の利用可能性】
【００５５】
本発明のヘッドアップディスプレイ装置２０は、車両１０に採用するのに好適である。
【符号の説明】
【００５６】
２０    ヘッドアップディスプレイ装置
２１    収納部品（表示装置）
２２    収納部品（反射鏡ユニット）
２５    ケース
２５ａ  底板
２５ｃ  取付部品当接部
２５ｄ  壁部
３１    ホルダ
３１ａ  封鎖部
３１ｂ  延出部
３２    反射鏡
６０    取付部品（下カバー）
７０    掛け止め機構
７１    係止部
７２    掛け止め部
７３    穴部
８１    第１ホルダ支持部
８２    第２ホルダ支持部
Ｈ１    １つのホルダ支持部の支持高さ
Ｈ２    残りのホルダ支持部の支持高さ
Ｌ１    光軸
Ｌ２    延長線
【図１】
2018197074.tif 000003
【図２】
2018197074.tif 000004
【図３】
2018197074.tif 000005
【図４】
2018197074.tif 000006
【図５】
2018197074.tif 000007
【図６】
2018197074.tif 000008
【図７】
2018197074.tif 000009
【図８】
2018197074.tif 000010
【図９】
2018197074.tif 000011
【図１０】
2018197074.tif 000012
【図１１】
2018197074.tif 000013